(57)【要約】      （修正有）【課題】時間的に一定時間だけ開店したい立地条件或いは一時的に開店したい場所であっても、経済的に大きな負担なしに、必要最小限のサービスを提供可能な店舗を開設することができるサテライト店舗用ＰＯＳレジを提供する。【解決手段】サテライト店舗に設置されるＰＯＳレジ１１，２２が、本店店舗に設置されかつセンターコンピュータ５０に接続されたストアコンピュータ２１に汎用光通信ネットワーク３０を介して接続するための通信監視制御ターミナル１２，２５を備える。【選択図】図２
0003122573.tif 000002
【実用新案登録請求の範囲】
【請求項１】
本部に設置されたセンターコンピュータに接続されかつ商品受発注や店舗の棚割情報等を処理するための本店店舗に設置されたストアコンピュータ或いは本店店舗に設置されたＰＯＳレジに接続して用いるためのサテライト店舗に設置されるＰＯＳレジであって、該サテライト店舗用ＰＯＳレジは、本店店舗のストアコンピュータに汎用光通信ネットワークを介して接続するための通信監視制御ターミナルを備える、サテライト店舗用ＰＯＳレジ。
【請求項２】
前記サテライト店舗に設置された通信監視制御ターミナルは、本店店舗に設置された通信監視制御ターミナルと協働してバーチャルプライベートネットワークを構成するための通信方式変換装置と、本店店舗の通信監視制御ターミナルとの間において送受可能な情報データを制限するための情報監視制御装置とから構成される、請求項１に記載のサテライト店舗用ＰＯＳレジ。
【考案の詳細な説明】
【技術分野】
【０００１】
本考案は、主としてコンビニエンスストアで使用されるＰＯＳレジに関し、特に、本店店舗の支店或いは出店的な意味合いを有するサテライト店舗のためのＰＯＳレジに関するものである。
【背景技術】
【０００２】
近年、コンビニエンスストアは、単なる商品の販売に加え、各種チケットや通信販売商品の購入、代金収納代行、宅配品の受渡し、現金自動預け払い、音楽の配信、各種の宣伝等々、多岐に渡るサービスを行うことが求められている。そのため、各コンビニエンスストアには、チェーン本部に設けられたセンターコンピュータと接続してデータの送受を行うためのストアコンピュータ、金銭の出し入れ等を行うためのＰＯＳレジ、各種のサービスについての情報の送受を行うための店頭端末、金融機関に直結したＡＴＭ等々の電子機器設備を設置する必要がある（例えば、特許文献１参照）。
【０００３】
これらのサービスを提供するのに必要な電子機器設備は、信頼性が高いことが必須であることや、製造台数が相対的に少ないこと等の理由により、非常に高価であり、１店舗当たり数千万円が必要であった。このため、限られた時間しか商売として成立しないような立地条件、例えば、大病院の通院専用病棟のように、朝から午後２時ごろまでしか人の出入りがない場所や、通勤通学路や学校周辺におけるように、朝夕しか人が通らない場所等では、店舗を開設するのが躊躇われているのが実情である。また、競技場やコンサート会場等のように、一時的に人が集まる場所に出店した場合、閉店後の会計処理等が煩雑であるため、商品販売の見込みがあるにもかかわらず、出店を取りやめる要因となっていた。
【特許文献１】特開２００１−２９７２２９号公報
【考案の開示】
【考案が解決しようとする課題】
【０００４】
本考案は、時間的に一定時間だけ開店したい立地条件或いは一時的に出店したい場所であっても、経済的に大きな負担なしに、必要最小限のサービスを提供可能な店舗を開設することができるサテライト店舗用ＰＯＳレジを提供しようとするものである。
【課題を解決するための手段】
【０００５】
本考案によるサテライト店舗用ＰＯＳレジは、本部に設置されたセンターコンピュータに接続されかつ商品受発注や店舗の棚割情報等を処理するための本店店舗に設置されたストアコンピュータ、或いは、本店店舗に設置されたＰＯＳレジに接続して用いるためのサテライト店舗に設置されるＰＯＳレジであり、そして、このサテライト店舗用ＰＯＳレジは、本店店舗のストアコンピュータに汎用光通信ネットワークを介して接続するための通信監視制御ターミナルを備える。
【０００６】
本考案によるサテライト店舗用ＰＯＳレジはまた、サテライト店舗に設置された通信監視制御ターミナルを、本店店舗に設置された通信監視制御ターミナルと協働してバーチャルプライベートネットワークを構成するための通信方式変換装置と、本店店舗の通信監視制御ターミナルとの間において送受可能な情報データを制限するための情報監視制御装置とから構成することもできる。
【考案の効果】
【０００７】
本考案のサテライト店舗用ＰＯＳレジは、汎用光通信ネットワークを介して本店店舗のストアコンピュータやＰＯＳレジに接続しているため、本店店舗とは物理的に離れたサテライト店舗に、ストアコンピュータ等の高価な電子機器設備を要することなしに本店店舗におけると同様な各種サービスを行うことができ、それにより、本店店舗から離隔した場所に別店舗を簡便に開設することができ、また、ＰＯＳレジに直接接続して行われるサービス、例えば、リモートメンテナンスサービスを受けたり、クレジットカード決済を行ったりすることができる。さらに、本店店舗の通信監視制御ターミナルとの間でバーチャルプライベートネットワークを構成すると共に、送受可能な情報データを制限することにより、売上げ情報や代金収納代行等の際に送信される個人情報等が外部に漏洩するのを防止し、また、営業時間が限られる等の理由により相対的に保安性の低いサテライト店舗から侵入して本店店舗のストアコンピュータや本部のセンターコンピュータからデータが盗み出されるのを防止することができる。
【考案を実施するための最良の形態】
【０００８】
本考案の実施例によるサテライト店舗用ＰＯＳレジは、図１および２に示すように、サテライト店舗１０に設置されるＰＯＳレジ１１と、ＰＯＳレジ１１を本店店舗２０のストアコンピュータ２１およびＰＯＳレジ２２に汎用の光通信ネットワーク３０を介して接続するための通信監視制御ターミナル１２とから構成される。
【０００９】
ストアコンピュータ２１は、周知の如く、チェーン本部に設けられたセンターコンピュータ５０に専用回線３１を介して接続し、種々のデータの送受を行うと共に、その店舗で行われる電子的な動きを管理制御する。また、本店店舗２０のＰＯＳレジ２２は、電子機器の故障等に対してリモートメンテナンスを行うためのメンテナンスサービス会社のコンピュータ５１、並びに、クレジット決済を行うためのクレジット会社のコンピュータ５２にそれぞれ専用回線３２および３３を介して直接接続される。
【００１０】
サテライト店舗１０のＰＯＳレジ１１は、基本的に、本店店舗２０で使われるＰＯＳレジ２２と同じものが使用されるが、最近実用化されつつある各種のサービス、例えば、電子マネーの取扱い、クレジットカード決済、顧客向け宣伝等の表示等の機能を備えたＰＯＳレジを用いるのが好ましく、このため、バーコードスキャナ１１１、カード読取装置１１２等の入力装置や宣伝広告用表示器（図示なし）を備える。また、サテライト店舗１０のＰＯＳレジ１１は、本店店舗２０のＰＯＳレジ２２で行えるサービスをすべて行えるようにすることも可能である。この場合、サテライト店舗１０に備えられていない入出力装置、例えば、顧客が操作してオンライン購入や予約等を行うことができるように店頭に設置された店頭端末２３や、顧客が持参した写真や文書等のデータをプリントアウトするためのプリンタ２４等は、本店店舗２０に設置されたものを使用することになる。
【００１１】
サテライト店舗１０の通信監視制御ターミナル１２は、汎用の光通信ネットワーク３０を介して本店店舗２０の通信監視制御ターミナル２５に接続される。より詳細には、通信監視制御ターミナル１２および２５は、通信方式変換装置１２１および２５１と情報監視制御装置１２２および２５２とからそれぞれ構成される。通信方式変換装置１２１および２５１は、相互に協働してバーチャルプライベートネットワーク（ＶＰＮ）３４を構成する。情報監視制御装置１２２および２５２は、サテライト店舗のＰＯＳレジ１１と本店店舗のストアコンピュータ２１およびＰＯＳレジ２２との間において送受可能な情報データの種類を制限する。
【００１２】
情報監視制御装置１２２および２５２は、サテライト店舗のＰＯＳレジ１１と本店店舗のストアコンピュータ２１およびＰＯＳレジ２２との間において送受される情報データを常時監視し、所定の情報データ以外の情報が送受されるのをブロックする役割を有する。この送受可能な情報データは、通常の販売やメンテナンス等の際に必要とする情報である。送受可能な情報データであるか否かは、各情報データに所定のフラグを立て、そのフラグを識別して送受の可否を行う手段や、予め各情報データのポートを指定し、それ以外のポートへの侵入をブロックする手段等、適当な識別手段を用いて判別される。
【００１３】
通常、サテライト店舗のＰＯＳレジ１１では、操作者の認証をバーコードスキャナ１１１で行い、本部・本店で予め許可された者のみが操作を行えるよう制限を加える仕組みが装備されており、ネットワークの通信制御とＰＯＳレジの操作者認証を行う事で、顧客情報を保護する。また、ＰＯＳレジ１１には本店への緊急支援コールを発信できる機能も実装されており、店舗としては本店とサテライト店舗とが物理的に独立した構成であっても、安全な店舗運営が図られる。
【００１４】
センターコンピュータ５０から送られてくる各種のコンテンツ、例えば、販売商品マスターや棚割情報や宣伝広告用コンテンツ等は、専用回線３１を介して本店店舗２０のストアコンピュータ２１に保存され、定時にまたは随時に、ストアコンピュータ２１からＰＯＳレジ２２に所要の情報データが送られると同時に、通信監視制御ターミナル２５（情報監視制御装置２５２および通信方式変換装置２５１）、ＶＰＮ３４、通信監視制御ターミナル１２（通信方式変換装置１２１および情報監視制御装置１２２）を通ってサテライト店舗１０のＰＯＳレジ１１にも送られ、それぞれのＰＯＳレジで処理される。
【００１５】
サテライト店舗１０のＰＯＳレジ１１は、顧客がカウンタに持参した商品や、代金収納代行契約を結んだ会社の請求書等に記載されているバーコードを、バーコードスキャナ１１１を用いて読み取って会計処理し、販売情報データとして記憶される。サテライト店舗１０のＰＯＳレジ１１における販売情報データは、定時にまたは随時に、通信監視制御ターミナル１２、ＶＰＮ３４、通信監視制御ターミナル２５を介してストアコンピュータ２１に送られて本店店舗のＰＯＳレジ２２の販売情報データと同様に処理される。この販売情報データは、通常の商品販売の伴うデータや、代金収納代行に伴うデータ等が含まれる。
【００１６】
サテライト店舗１０のＰＯＳレジ１１でクレジット決済を行うとき、ＰＯＳレジ１１は、通信監視制御ターミナル１２、ＶＰＮ３４、通信監視制御ターミナル２５を通って本店店舗の所定のＰＯＳレジ２２に接続され、該ＰＯＳレジ２２から専用回線３３を介してクレジット会社のコンピュータ５２に接続される。ＰＯＳレジ１１のカード読取装置１１２で読み取ったカードデータは、クレジット会社のコンピュータ５２に送られて認証、購買可否の照合等が行われ、決済可の回答があったとき、所定のクレジット決済処理を行う。
【００１７】
サテライト店舗のＰＯＳレジ１１が不調なとき或いはメンテナンスを行うとき、メンテナンスサービス会社のコンピュータ５１は、専用回線３２および本店店舗の所定のＰＯＳレジ２２を介し、通信監視制御ターミナル１２、ＶＰＮ３１、通信監視制御ターミナル２５を通ってＰＯＳレジ１１に接続され、所要のリモートメンテナンス作業が行われる。
【００１８】
本店店舗２０にはあるが、サテライト店舗１０に備えられていない設備機器、例えば、店頭端末２３やプリンタ２４を使用するサービスや販売は、本店店舗２０で店頭端末２３を操作して所要の手続を行い、サテライト店舗１０で支払い等の最終的な手続を行うか、サテライト店舗１０でプリントアウトの申込み、支払いを行い、本店店舗２０でプリンタ２４で印刷したものを受け取ることにより行われる。かくして、サテライト店舗のＰＯＳレジ１１は、本店店舗のＰＯＳレジ２２と実質的に同様に機能することになる。
【産業上の利用可能性】
【００１９】
汎用光通信ネットワーク３０に接続可能な場所であればどこでもサテライト店舗用ＰＯＳレジを設置することができるため、例えば、競技場やコンサート会場等のように、一時的に人が集まる場所に一時的に開設されたサテライト店舗に使用できる。
【図面の簡単な説明】
【００２０】
【図１】本考案の実施例によるサテライト店舗用ＰＯＳレジの構成を説明するための図である。
【図２】図１に示すサテライト店舗用ＰＯＳレジの外部との接続関係を説明するための図である。
【符号の説明】
【００２１】
１０    サテライト店舗
１１、２２    ＰＯＳレジ
１２、２５    通信監視制御ターミナル
２０    本店店舗
２１    ストアコンピュータ
２３    店頭端末
２４    プリンタ
３０    光通信ネットワーク３０
３１、３２、３３    専用回線
３４    バーチャルプライベートネットワーク（ＶＰＮ）
５０    センターコンピュータ
５１    メンテナンスサービス会社のコンピュータ
５２    クレジット会社のコンピュータ
１１１    バーコードスキャナ
１１２    カード読取装置
１２１、２５１    通信方式変換装置
１２２、２５２    情報監視制御装置
【図１】
0003122573.tif 000003
【図２】
0003122573.tif 000004